(57)【特許請求の範囲】
【請求項１】
ブラジャーの２つのバックウィング部の端部を連結するための留め具であって、
−  ブラジャーの着用者に対向しない背面側と、その反対側に位置する正面側とを有し、上記２つのバックウィング部の一方の端部に固定された、非伸縮性の織物片、並びに
−  上記背面側に固定されたプラスチック製の第１留め具要素に関する横方向に延在し、縦方向に互いに間隔をおいた複数の列、並びに
−  上記２つのバックウィング部の他方の端部に固定された内側端部と、その反対側の外側端と、その外側端で少なくとも部分的に上記織物片の背面側と重なり合う正面側と、その正面側と反対側の背面側とを有する、平らな基体部、並びに
−  概ね上記第１留め具要素を補完する形状で、且つこの第１留め具要素に係合可能な、プラスチック製の第２留め具要素、
を備えて成り、上記複数の列には、それぞれ少なくとも２つの、横方向に互いに間隔をおいて配置された第１留め具要素が設けられ、上記第１留め具要素に位置合わせされ、上記第１留め具要素に嵌合するように、上記第２留め具要素が上記基体部の正面側に外側端で固定され、
横方向に延在する硬いバーが基体部に配設されるか、基体部の一部として成形され、第２留め具要素の横方向への相対運動を防止し、第２留め具要素の領域で基体部がたわむのを防ぐこと、
平らな基体部が第２留め具要素と硬い棒状体と共に一体のプラスチック部材として成形されること、
上記硬いバーに少なくとも１つの可撓性の織物フラップが固定され、各ウィング部端部に接合されること、及び
２つのそのような織物フラップがサンドウィッチ状にバーと一緒に溶着され、更に対応するウィング部端部に挟み込まれ、これと結合されること、
を特徴とする留め具。
【請求項２】
上記第１留め具要素が雌型のＵ字型であり、上記第２留め具要素が雄型であることを特徴とする、請求項１に記載の留め具。
【請求項３】
上記織物片が合同なフロント織物レイヤーとバック織物レイヤーによって形成され、上記第１留め具要素は夫々それら織物レイヤーの間にサンドイッチ状に埋設された表側部材と、上記第２留め具要素の１つと夫々対となる裏側部材と、各表側部材と裏側部材の間のバック織物レイヤーを貫通するピンまたはウェブとを備えて成ることを特徴とする、請求項１に記載の留め具。
【請求項４】
ピンまたはウェブが夫々の表側部材および裏側部材と一体的に成形されていることを特徴とする、請求項３に記載の留め具。
【請求項５】
ピンまたはウェブが夫々の表側部材と裏側部材の一方と一体的に成形され、夫々の他方の表側または裏側部分と溶着されていることを特徴とする請求項３に記載の留め具。
【請求項６】
各織物レイヤーが四角形の基本形状を有し、留め具が更に織物レイヤーの少なくとも３つの辺の周回に延在する溶接部を備え、上記溶接部を用いて織物レイヤーの外側縁部のすぐ内側でそれら織物レイヤーを接合することを特徴とする、請求項３に記載の留め具。
【請求項７】
上記溶接部が織物レイヤーの３つの側辺に沿ってだけ延在し、織物レイヤーの第４の側辺では中断されていて、各ウィング部端部が上記第４の側辺で織物レイヤーの間に受容され、固定されることを特徴とする、請求項６に記載の留め具。
【請求項８】
更に第１留め具要素の列の間に、横方向に延在する棒形の溶接部を備えることを特徴とする、請求項６に記載の留め具。
【請求項９】
上記雌側留め具要素に、突出した係留要素が備えられ、上記雄側留め具要素にも、突出した係留要素が形成され、これら要素の相互係合により、閉鎖構成にて上記係留要素の形状拘束による固定が達成され、その際ブラジャーの留め具の開・閉が、留め具の操作時に留め具要素の突出した部分の弾性変形により生じる、適度な戻り力に抗して実施されることを特徴とする、請求項２〜８のいずれか一項に記載の留め具。
【請求項１０】
上記雌側留め具要素の突出部材が移行部領域近傍に設けられ、この内側で上記雌側留め具要素の互いに離れたガイド面に平行なガイド面が続き、上記平行なガイド面を用いて留め具要素が係留位置へガイドされることを特徴とする、請求項９に記載の留め具。
【請求項１１】
留め具要素の閉鎖位置が停止効果により印付けられることを特徴とする、請求項９または１０に記載の留め具。
【請求項１２】
少なくとも１つの留め具部材（１０，２０）に、圧力ばめと形状拘束で作用する留め具要素（１２ａ，２０，２０ｈ，２０ｉ）に追加して、少なくとも１つの永久磁性の留め具要素（８０／ｗおよび／または８０／ｍ）が配設され、他の留め具部材（２０または１０）に配設された、同様に永久磁性の、または磁化性の留め具との相互作用にて、そこからブラジャーの留め具要素（８０）を閉じることができる（仮の）閉鎖構成をもたらすことが可能であることを特徴とする、請求項１または１１に記載の留め具。
【請求項１３】
永久磁化性の留め具要素（８０／ｗと８０／ｍ）が上記雌側留め具部材（１０）にも上記雄側留め具部材にも設けられていることを特徴とする、請求項１２に記載の留め具。
【請求項１４】
永久磁性の留め具要素から発揮され得る引力が、形状拘束作用する留め具要素が互いに掛け留めし合う構成にて、形状拘束により一緒に係留される形状拘束要素の保持力より著しく小さいことを特徴とする、請求項１２または１３に記載の留め具。
【請求項１５】
ブラジャーの２つのバックウィング部の端部を連結するための留め具を作り出す方法であって、：
複数のプラスチック製の第１留め具要素を、ブラジャーの着用者に対向しない背面側とその反対側にあたる正面側を有する非伸縮性の織物片の背面側に固定し、これら第１留め具要素を上記背面側での縦方向に互いに間隔をあけ、横方向に延在する複数の列に配設するステップと、
他のウィング部の端部に固定された内側端部と、逆側の外側端部と、この外側端部で少なくとも部分的に上記織物片の背面側と重なり合う正面側と、この正面側の逆側の背面側とを有する、平らな基体部を提供するステップと、
概ね上記第１留め具要素を補完するプラスチック製の第２留め具要素を、上記第１留め具要素に位置合わせされ、上記第１留め具要素に嵌合するように、上記基体部正面側の外側端部に固定するステップと、
横方向に延在する硬いバーを、上記第２留め具要素の横方向への相対運動を防止し、上記第２留め具要素の領域で上記基体部がたわむのを防ぐように、上記基体部に、またはその一部として、形成するステップと、
平らな基体部を、第２留め具要素や硬いバーと一体的なプラスチック製部材として成形するステップと、
硬いバーに固定される少なくとも１つの可撓性の織物フラップを提供し、該フラップを、各ウィング部端部に接合するステップと、及び
２つのそのような織物フラップをサンドウィッチ状にバーと一緒に溶着し、更に対応するウィング部端部に挟み込み、これと結合するステップと
を有する方法。
【請求項１６】
織物片が合同なフロント織物レイヤーとバック織物レイヤーから形成されていて、第１留め具要素夫々が織物レイヤーの間に挟まれた表側部材と、第２留め具要素の１つと夫々対となり得る裏側部材と、夫々表側部材と裏側部材の間のバック織物レイヤーを貫通するピンまたはウェブとを有することを特徴とする、請求項１５に記載の方法。
【請求項１７】
表側部材と裏側部材が互いに、ピンまたはウェブと、バーとを用いて射出成形工程の１度の射出によりに一体的に形成されることを特徴とする、請求項１６に記載の方法。
【請求項１８】
ピンまたはウェブが、夫々表側部材か裏側部材の１つと一体的に成形され、夫々表側部材か裏側部材の他方と溶着されることを特徴とする、請求項１６に記載の方法。
【請求項１９】
織物レイヤーの各々が基本的に長方形であり、織物レイヤーの少なくとも３つの側辺の周りに延在し、織物レイヤーの外側縁部のすぐ内側でこれを綴じ合わせる溶接部を形成するステップを有することを特徴とする、請求項１６に記載の方法。
【請求項２０】
上記溶接部が３つ側辺の周りだけに延在し、織物レイヤーの第４の側辺では別々であり、各ウィング部端部が上記第４の側辺で織物レイヤーの間で固定されるステップを有することを特徴とする、請求項１９に記載の方法。
【請求項２１】
第１止め具要素の列の間で、横に延在するバー状の溶接部を形成するステップを有することを特徴とする、請求項１９に記載の方法。
【発明の詳細な説明】
【技術分野】
【０００１】
本発明は、ブラジャーに関する。とりわけ本発明はブラジャーの背面側留め具または固定装置に関する。
【背景技術】
【０００２】
標準的なブラジャーは着用者のバストを覆うのに適した、後ろ側が開口した１組のカップを有して成る。該カップは互いにつなぎ合わされた内縁部と、そこからウィング部（左右に延在するベルト部）が延びる外縁部を有し、該ウィング部は着用者の腕の下を通って着用者の背中を包み込み、留め具を用いて背面で互いに解除可能に結合される。保持部は、普通、各カップの先端から出て、着用者の肩を超え、着用者の背中側で夫々、ウィング部の上縁と結合されている。
【０００３】
標準的な留め具は、一方のウィング部の外側または裏側の端部に設けられた、水平方向に互いに間隔を置いて配設されたアイレットの縦の列と、他方のウィング部の表側または内側の端部に配設された、これを補完する形状のホックの縦の列とから成る。２つのウィング部を互いに固定するために、ホックは１つの列のアイレットと係合される。快適さのため、ウィング部は伸縮性のある織物素材から製造されるのが定石であるが、ホックとアイレットを担持する端部はこれより幾分剛性がある。
【０００４】
ホック・アンド・アイレット式の標準的な留め具が有効であるとしても、この留め具は様々な問題を抱えている。金属製のホックは硬く、着用者の背中に食い込みかねないし、ブラジャーの洗濯の際にも他の洗濯物を引っ掛けてしまうかもしれない。また留め具は嵩張るので、ぴったりとした衣服の下で見えてしまい、着用者の背中の中央に不恰好な隆起が現われる。
【０００５】
２つのウィング部端部を反対方向へと引っ張る、長手方向に働く力が生じた場合、上下の縁部、また裏面の外縁部も外へ突き出し、ついには留め具全体が湾曲しかねない。そのようなたわんだ変形は張力と共に増加し、着用者の背面部の中央に既に存在する不恰好な隆起をより大きくする。
【０００６】
様々な要素から成る留め具の製造は、位置決め・組み立てと固定の多数のステップを含んでいて、周知の留め具のコストを増大させる。通常、固着は縫合により行われるが、留め具の織物要素を互いにぴったり合うように縫製することは非常に困難であり、下着がまだ新しい場合でも既にいくらかずれているのが普通であり、いずれにしても使用して少し時間がたつとずれてしまう。
【発明の開示】
【発明が解決しようとする課題】
【０００７】
従って、本発明の根底をなす課題は改良されたブラジャーの留め具を創出することにある。
【０００８】
更に、上述した欠点を予防したブラジャーの背面側留め具を製造すること、とりわけ非常に平らなので、ぴったりと密着した洋服の下に目立たずに着用することができる。また、ウィング部が引っ張られても反り返らない、ブラジャーの背面側留め具を製造することを目的とする。
【０００９】
更に、その種の留め具の製造のために改善され且つ単純化された方法、とりわけ不恰好な縫い目が必要でない方法を提供することを目的とする。
【課題を解決するための手段】
【００１０】
ブラジャーの２つのバックウィング部端部を連結するための留め具は、本発明に従い、ブラジャーの着用者に対向しない背面側と、その反対側に位置する正面側とを有する、非伸縮性の織物片を備えて成る。該織物片は片方のウィング部端部に固定され、背面側に横（長手方向に対して垂直な方向）に延在し、且つ縦（長手方向）に互いに間隔を置いて配設された、プラスチック製の第１留め具要素の複数の列を担持し、各列は少なくとも２つの、横に互いに離間した留め具要素を有している。平らな基体部は他方のウィング部端部に固定された内側端部と、反対側に位置する外側端部と、外側端部で少なくとも部分的に織物片の背面側と重なり合う正面側と、基体部正面側とは逆側の背面側とを有する。一般的には第１留め具要素を補完する形状で、且つこれに係合可能な、プラスチック製の第２留め具要素が、第１留め具要素に位置合わせされ、これと嵌合するように基体部正面側の外側端部に固定されている。横方向に延在する硬いバーが、基体部に配設されるか、または基体部の一部として成形されていて、第２留め具要素の横方向への相対運動を防止し、第２留め具要素の領域で基体部がたわむのを防ぐ。
【発明の効果】
【００１１】
その種の留め具は正面側と背面側の間のサイズを極めて薄く、実際にはわずか４ｍｍの厚さに製造可能である。これは従来の留め具の一般的な厚さ６ｍｍに比べて明らかに少ない。その上更に、本構成はウィング部を介して及ぼされた引っ張り応力が留め具の湾曲や捩じれを引き起こさず、むしろ留め具をより平にさせるので、例えばぴったりとしたＴシャツの下にブラジャーを着用した場合でも、決して不恰好な隆起が現われることがない。この留め具は全く縫製なしに、つまり溶接により、ふつう超音波溶接により、実現可能であるので、不恰好に目立つ縫い目の問題を全く生じない。
【００１２】
第１留め具要素は雌型でＵ字型であり、第２留め具要素は雄型である。両者共、全体がプラスチックで形成されるので、例えば洗濯時に引っ掛かることがない。その上更に、この種の完全に非金属製の構成は単純且つ安価であり、また金属製部材によるある種の敏感肌やアレルギーの問題が避けられる。
【００１３】
織物片は、本発明に従い、数学的に合同なフロント織物レイヤー（テックス層）とバック織物レイヤーから成り、第１留め具要素は夫々この２つの織物レイヤーの間にサンドイッチ状に埋設された表側部材と、第２留め具要素と夫々一対となる裏側部材と、各表側部材と裏側部材の間のバック織物レイヤーを貫通するピン（釘）またはウェブ（連結要素）とを備えて成る。ピンまたはウェブは夫々、表側および裏側部材と一体的に成形されていても良いし、あるいは表側部材か裏側部材の１つと一体的に成形され、超音波溶接により夫々他方の表側または裏側部分と結合されても良い。
【００１４】
各織物レイヤーは基本的に長方形であり、留め具は更に織物レイヤーの少なくとも３つの側辺（側面）の周りに延びる超音波溶接部を有し、溶接部は織物レイヤーの外側縁部のすぐ内側でこれを綴じ合わせる。該溶接部は、本発明の特に有利な実施例に従い、織物レイヤーの３方の周りだけに延在し、第４の側辺では中断されている。各ウィング部端部は第４の側辺で２つの織物レイヤーの間に受容され、そこに固定されている。勿論、留め具がブラジャーと一緒に製造される場合は、片方または両方の織物レイヤーをブラジャーのウィング部の一体不可分な部材として形成しても良い。
【００１５】
本発明に従い、第１留め具要素の列の間に、横方向に延在する棒形の溶接部が形成される。該溶接部は留め具の湾曲を予防し、第１留め具要素の間の正確なスペースを維持する。
【００１６】
本発明に従う平らな基体部もまた、第２留め具要素および硬いバー（棒状体）と一緒に、単一のプラスチック製部材として成形可能である。この場合、少なくとも１つの可撓性の織物フラップが硬いバーに固定され、各ウィング部端部に接合されるか、あるいは特には、２枚のその種の織物フラップがバーを挟み込み、これと一緒に溶着され、更に対応するウィング部端部に挟み込まれ、これと結合される。
【００１７】
本発明に従う方法は、プラスチック製の複数の第１留め具要素を非伸縮性の織物片の背面側に固定するステップを有する。該織物片はブラジャーの着用者に対向しない背面側とその反対側にあたる正面側を備え、第１留め具要素は長手方向に互いに間隔をあけ、横に延在する複数の列として背面側に配設される。他方のウィング部端部に固定された内側端部と、反対側に位置する外側端部と、外側端部で少なくとも部分的に織物片の背面側と重なり合う正面側と、正面側の逆面の背面側とを有する平らな基体部も提供される。一般的には第１留め具要素を補完する形状で、且つこれに係合可能な、プラスチック製の第２留め具要素が、第１留め具要素に位置合わせされ、これと嵌合するように基体部正面側の外側端部に固定される。横方向に延在する硬いバーが、第２留め具要素の横方向への相対運動を防止し、第２留め具要素の領域で基体部がたわむのを防ぐように、基体部に配設されるか、または基体部の一部として成形される。
【００１８】
上述したように、織物片は合同なフロント織物レイヤー（織物層）とバック織物レイヤーから成り、第１留め具要素は夫々織物レイヤーの間にサンドイッチ状に埋設された表側部材と、第２留め具要素の１つと夫々一対となる裏側部材と、各表側部材と裏側部材の間のバック織物レイヤーを貫通するピン（釘）またはウェブ（連結要素）とを備えて成る。表側および裏側部材が互いに、ピンまたはウェブと、およびバーと射出成形工程の１度の射出によりに一体的に形成されていても良いし、あるいは表側部材か裏側部材の１つと一体的に成形され、超音波溶接により夫々他方の表側または裏側部分と結合されても良い。
【００１９】
上記の目的、構成要素および利点は添付の図面を用いた以下の既述から詳細に明らかとなる。
【図面の簡単な説明】
【００２０】
【図１Ａ】本発明に従う留め具の平面図である。
【図１Ｂ】図１Ａの線ＩＢ−ＩＢに沿った断面図である。
【図１Ｃ】留め具の雌側部材の平面図である。
【図１Ｄ】留め具の雄側部材の平面図である。
【図１Ｅ】背中側から見た、留め具の雌側部材の図である。
【図１Ｆ】背中側から見た、留め具の雄側部材の図である。
【図２Ａ】外側の雌側要素の正面図である。
【図２Ｂ】外側の雌側要素の背面図である。
【図２Ｃ】外側の雌側要素の断面図である。
【図２Ｄ】内側の雌側要素の平面図である。
【図２Ｅ】内側の雌側要素の背面図である。
【図２Ｆ】内側の雌側要素の断面図である。
【図２Ｇ】雄側留め具要素のプラスチック部分の正面図である。
【図２Ｈ】雄側留め具要素のプラスチック部分の背面図である。
【図２Ｉ】図２Ｇの線２Ｉ−２Ｉに沿った断面図である。
【図２Ｊ】留め具の雄側部材のための織物部材の正面図である。
【図３Ａ】雌側部材の織物レイヤーのための基部である未加工の織物片（ベースブランク）の図である。
【図３Ｂ】雌側部材の織物レイヤーのための基部である未加工の織物片（ベースブランク）の図である。
【図３Ｃ】外側の雌側要素をベースブランク上に据え付けた後の正面図である。
【図３Ｄ】内側の雌側要素をベースブランク上に据え付けた後の背面図である。
【図３Ｅ】ヒートシーリングにより綴じ合わせた後のブランクの図である。
【図３Ｆ】綴じ合わされたブランクの切り落としを示す図である。
【図４Ａ】留め具の第２実施例の平面図である。
【図４Ｂ】図４Ａの線ＩＶＢ−ＩＶＢに沿った断面図である。
【図４Ｃ】第２留め具の雌側部材の正面図である。
【図４Ｄ】第２留め具の雄側部材の正面図である。
【図４Ｅ】第２留め具の雌側部材の背面図である。
【図４Ｆ】第２留め具の雄側部材の背面図である。
【図５Ａ】第２留め具の雌側部材の織物レイヤーのための基部である織物片（ブランク）の図である。
【図５Ｂ】第２留め具の雌側部材の織物レイヤーのための基部である織物片（ブランク）の図である。
【図５Ｃ】プラスチック部材をベースブランク上に据え付けた後の正面図である。
【図５Ｄ】プラスチック部材をベースブランク上に据え付けた後の背面図である。
【図５Ｅ】ヒートシーリングにより綴じ合わせた後のブランクの図である。
【図５Ｆ】綴じ合わされたブランクの切り落としを示す図である。
【図６Ａ】第２留め具の雄側部材の織物レイヤーのための基部である織物片（ブランク）の図である。
【図６Ｂ】第２留め具の雄側部材の織物レイヤーのための基部である織物片（ブランク）の図である。
【図６Ｃ】プラスチック部材をベースブランク上に据え付けた後の正面図である。
【図６Ｄ】プラスチック部材をベースブランク上に据え付けた後の背面図である。
【図６Ｅ】ヒートシーリングにより綴じ合わせた後のブランクの図である。
【図６Ｆ】綴じ合わされたブランクの切り落としを示す図である。
【図７Ａ】図７Ｄの線Ａ−Ａに沿った断面図である。
【図７Ｂ】図７Ａの線Ｂ−Ｂに沿った断面図である。
【図７Ｃ】図７Ｄの線Ｃ−Ｃに沿った断面図である。
【図７Ｄ】本発明に従うブラジャーの留め具の閉鎖（留め金を掛けた）状態における図４Ａに対応する概略図である。
【図７Ｅ】図７Ｄの線Ｅ−Ｅに沿った断面図である。
【図８Ａ】本発明に従うブラジャーの留め具の別の実施例の図１Ａに対応する、縮尺２：１の図である。
【図８Ｂ】図８Ａに従うブラジャーの留め具の閉鎖（留め金を掛けた）した形態を示す、図８Ａの線Ｂ−Ｂに沿った、縮尺４：１の図である。
【図８Ｃ】図８Ａに従うブラジャーの磁石式留め具の暫定的な固定位置を示す、同様に図８Ａの線Ｂ−Ｂに沿った、縮尺４：１の図である。
【図８Ｄ】図８Ａに従うブラジャーの留め具の閉鎖（留め金を掛けた）した形態を示す、図８Ａの線Ｄ−Ｄに沿った、縮尺４：１の図である。
【発明を実施するための最良の形態】
【００２１】
図１Ａ〜１Ｆからわかるように、本発明に従う留め具は基本的に、普通は破線で表示されたバックウイング部Ｗの一方に固定された雌側部材１０と、他方のバックウィング部に固定された雄側部材２０とを備えて成る。図１Ａは後ろ側から、つまり着用者の背後の位置から見た留め具を示し、最長の位置で留め具が掛けられている。
【００２２】
雌側部材１０はフロント織物レイヤー（織物層）１１ａとバック織物レイヤー１１ｂから成り、その内の少なくとも１つは、図示された実施例では両方共、非伸縮性の繊維織物、典型的にはトリコット・ニット・マイクロファイバーで出来ている。織物レイヤー１１ａ，１１ｂはその長辺方向の縁と外側の縁に沿って、Ｕ字型の溶接部１１ｃにより、互いに接合されている。これに加えて、横方向に延在する溶接部１１ｄが、引っ張られるのを防いで構成を更に安定化させるために、長手方向に互いに間隔を置いて、超音波溶接により綴じ合わされた織物レイヤー１１ａ，１１ｂの上の溶接部１１ｃで画定された面の内側に配設される。Ｕ字型の縁部の溶接部１１ｃは織物レイヤー１１ａ，１１ｂの内側端部のすぐ手前で終端し、最も内側の横方向の溶接部１１ｄもまた該内側端部から外側へ間隔を置いて付設されているので、２つの織物レイヤー１１ａおよび１１ｂは雌側部材１０の内側端部で互いに分離していて、固定のための口を形成している。これにより２つの織物レイヤー１１ａおよび１１ｂを、ウィング部Ｗの互いに向かい合う内側面と外側面でサンドゥイッチ状に配置され、安定した係留とスムースな結合が達成されるように、溶接または縫合によりこれと固定することが出来る。
【００２３】
バック織物レイヤー１１ｂの背面側（図１Ｂ中、１１ｂの上側）に蝶型の雌側の留め具要素１２を２つずつ備えた３つの列が、横に延在し、縦に互いに離間して固定されている。カップが大きめのブラジャーの場合、原則として各列はその種の要素１２を２つ以上有しても良いが、実際には大抵の場合、下記に説明するように、留め具の横方向への拡大により幅が広めのウィング部Ｗに適合させるためには、数ではなく、２つの要素１２の横の間隔を広げるだけで事足りる。
【００２４】
各雌側要素１２は、図２Ａ〜２Ｃにおいて更に良くわかるように、バック織物レイヤー１１ｂの背面側に据え付けられる蝶型の裏側部材１２ａと、環状の角形内側部材１２ｂ（図２Ｄ〜２Ｆ参照）とを有し、該内側部材はバック織物レイヤー１１ｂの正面側とフロント織物レイヤー１１ａの背面側の間に挟み込まれている。表側部材１２ａは一対の羽を持つ蝶の形で、羽部分は分岐した外側部分１２ｃ、張り出し部１２ｅを備える平行な内側部１２ｄ、２つの内側部１２ｄの底面端部を連結する湾曲部１２ｆを有する。雌側要素１２の正面側から延びる突起部１２ｇはバック織物レイヤー１１ｂを貫通し、表側部材１２ｂの孔１２ｈに着座する。反対側では突起部１２ｉが同じ様に機能する。
【００２５】
雄側部材２０は、図２Ｇ〜２Ｊにおいて更に良くわかるように、フロント織物レイヤー２０ａとバック織物レイヤー２０ｂから成る、可撓性ではあるが、普通は非伸張性の織物部分とプラスチック製部材２０ｃとを備えて成る。２つの織物レイヤーは共通の、真ん中に切れ目（スロット）２０ｃを有する四角形の織物片（図２Ｊ参照）の半分で出来ている。プラスチック製部材２０ｃは外側部分２０ｄと内側の棒状体２０ｅを備え、両者は、以下に説明するように、切れ目２０ｃにぴったりと合う、若干幅の狭いウェブ（織物）２０ｆを介して互いに連結されている。外側部分２０ｄの背面側には装飾が施され、また留め具を解放するために部材２０をどの方向へ動かすべきかを着用者に示すために、"ＳＨＩＦＴ"の文字と外側を示す矢印を含む表示２０ｇを有する。
【００２６】
２つのフラップ２０ａ、２０ｂが１枚ずつの織物片であり、背面側からは織物素材だけしか見えないように、片方の織物片がプラスチック製部材２０ｄの背面側または外側全体を覆う大きさであるシステムを創り出すことも可能かもしれない。
【００２７】
外側部分２０ｃの正面側に１組のホック要素２０ｈが付設され、各ホック要素は拡大されたヘッド２０ｉと内側へ延びるリブ（畝）２０ｊを有する。ヘッド２０ｉは張り出し部１２ｅに下側から係合可能で、互いに近づける方向、つまり表示２０ｇの”ＳＨＩＦＴ”の矢印の方向への部材２０の動き、を除いた任意の方向への分離に逆らい、部材１０と２０を固定する。ヘッド２０ｉの内側のリブ２０ｊは、ヘッド２０ｉを部材１２ａのアーム１２ｃの間の係合位置へのスライドによりガイドする。
【００２８】
留め具の雌側部材１０は、図３Ａ〜３Ｆに示すように、まず２つのブランク（未加工の帯）１１ａ’および１１ｂ’（図３Ａおよび３Ｂ参照）を重ね合わせて創り出される。ブランク１１ａ’，１１ｂ’は織物レイヤー１１ａ，１１ｂと同じ形状ではあるが、周回が寸法Ｄだけ、ここでは約０．１２５インチ分、大きい。
【００２９】
最初のステップにおいて、図３Ｃおよび３Ｄに示すように、部材１２ａと１２ｂは２つずつ３列に（本発明はこの個数に限定されるものでは決してない）互いにしっかりと固定され、突起部１２ｇ，１２ｉがブランク１１ｂ’を貫通し、１２ａと１２ｂの夫々の正確な位置を確保する。このように互いに固定し合う１２ａと１２ｂはこの位置で、超音波により突起部の外側端部で互いに溶着されるので、キノコのように重なり合い、部材１２ａと１２ｂはその間に挟み込まれたブランク１１ｂ’と一緒に互いにしっかりと固定される。
【００３０】
次に、図３Ｅに示すように、２つのブランク１１ａ’と１１ｂ’はぴったりと合わされ溶接部１２ｃ，１２ｄが形成される。溶接部は超音波により実施可能である。これにより全体構成が幾分堅牢となり、部材１２ｂが完全に封入される。
【００３１】
最後のステップにおいて、ブランク１１ａ’，１１ｂ’から縁部１１ｅが切り落とされ、１１ａ’，１１ｂ’は織物レイヤー１１ａ，１１ｂへと変わる。このトリミングは超音波溶接部１２ｃのすぐ際か、あるいはわずかにその外側で冷間切断により実施されるので、織物レイヤー１１ａ，１１ｂの織布が使用や洗濯により擦り切れても、縁は滑らかなままである。
【００３２】
図４Ａ〜６Ｆに従う実施例は機能的には上述した第１実施例と同様であり、第１実施例の持つ全ての長所を備えるが、雄側部材３０の組み立て方法と構成において相違している。
【００３３】
とりわけ、この実施例では雄側部材３０は２つの部材、つまり図２Ｊに示した織物要素と図２Ｇおよび２Ｈに示したプラスチック製部材から構成されてはいない。これに代えて、図５Ａおよび５Ｂに示すように、２つのブランク３０ａ’と３０ｂ’から形成され、第１の部材は簡素な未加工の素材片であり、第２の部材にはいくつかの穿孔３０ｃが設けられており、２つのブランク共寸法Ｄだけ大きい。
【００３４】
ブランク３０ｂ’は更に、図５Ｃおよび５Ｄに示すように、２つの射出成形型または吹き型ハーフの間に固定され、これに合成樹脂が射出されて、ブランク３０ｂ’の正面側には２つの小さな丸い押しボタン基部３０ｄと横方向に延在するバー３０ｅが、背面側には２つの平らな押しボタン３０ｆが形成される。押しボタン３０ｆからは、ヘッド２０ｉに相当するヘッド３０ｇと、リブ２０ｊに相当するリブ３０ｇが突き出ている。同時に、ボタン３０ｄと３０ｆの間のブランク３０ｂ’を貫通する平らなウェブ（連結部材）３０ｉが一体的に成形される。ボタン３０ｄと３０ｆはまた、両者の間の孔３０ｃを貫通して延在する一体成形されたスタッド（棒状部材）により互いに結合されている。
【００３５】
要するに、全てのプラスチック製部材は１度の射出により成形され、且つワンピースに（１部材として）一体成形されている。
【００３６】
更に、図５Ｅに示すように、２つのブランク３０ａ’，３０ｂ’は完全に一致して重なり合い、その結果、フロントブランク３０ａ’はボタン３０ｄおよび強化バー３０ｅを被覆する。そして２つのブランク３０ａ’，３０ｂ’は超音波溶接により、ボタン３０ｄと３０ｆの周回に延在するＵ字型溶接部３０ｊによって互いに接合され、且つバー３０ｅ近傍の真っ直ぐな超音波溶接部３０ｋに沿って、２枚のブランクとプラスチック部材３０ｄ，３０ｆ，３０ｉが相互にしっかりと連結される。
【００３７】
最後に、溶接部３０ｊの周回のトリミングが溶接部のわずかに外側で冷間切断により実施され、滑らかな縁部を有するフロント織物レイヤー３０ａとバック織物レイヤー３０ｂを形成するために、縁部３０ｍが切り落とされる。形成された対の唇の間に各ウィング部Ｗを係留することができる。
【００３８】
第２実施例の雌側部材もまた、図６Ａ〜６Ｆにおいて明らかなように、射出成形により製造されるワンピースのプラスチック部材で出来ている。
【００３９】
特には、図６Ａおよび６Ｂに示すように、２つのブランク４０ａ’および４０ｂ’の製造を起点としても良い。ブランク４０ａ’はブランク１１ａ’と同一であり、ブランク４０ｂ’は貫通孔の６つのＵ字型の配列を備えることだけがブランク１１ｂ’とは相違している。
【００４０】
ブランク４０ｂ’は続いて、ブランク３０ｂ’と同様に、２つの型ハーフの間に固定され、型の中に部材５０ａと５０ｂの成形のためにプラスチックが射出される。部材５０ａと５０ｂは普通、互いに一体に成形され、孔４０ｃを貫通する細いピン（釘）を介して繋がっていることを除けば、部材１２ａと１２ｂと同一である。これは図６Ｃおよび６Ｄに図示されている。
【００４１】
図６Ｅおよび６Ｆに示すステップは、図３Ｅおよび３Ｆに示したステップに相当し、溶接部１２ｃと１２ｄが形成されている。次に、該溶接部は縁部４０ｃで切り落とされ、滑らかな縁部を有するフロント織物レイヤー４０ａとバック織物レイヤー４０ｂが創出される。２枚の唇（フラップ）を一方のウィング部端部と連結することが出来る。
【００４２】
本発明に従うブラジャーの留め具を更に詳細に説明するため、以下、図７Ａ〜７Ｅを参照されたい。これは既に図２Ａ〜２Ｊ、および図４Ａと４Ｂにおいて話題にした、本発明に従うブラジャーの留め具の雌側部材１０と雄側部材２０の拡大された細部の図であり、図２Ａ〜２Ｊ、および図４Ａと４Ｂに関連して既に説明したものと類似する。従って、図７Ａは図４Ｂの要素の部分の拡大図である。従って、図４Ｂの該当する明細書およびそこに図示された実施例を参照されたい。
【００４３】
図７Ａ〜７Ｅに記された符号が以下の明細書の関連する部材で言及されていない場合は、示された符号が挿入されている上述の明細書の該当箇所を参照されたい。
【００４４】
本発明に従うブラジャーの非常に重要な特徴は、ブラジャーの背面部分の連結のためには最小限の力が加えられるべきである、つまり一定の抵抗が克服されるべきであるということだ。しかしながら、一旦この抵抗閾値に打ち勝てば、連結は極めて引っ張りに強い。つまり、ブラジャーの背面部分の動きにおいて互いを引き離すように働く張力が強くなればなる程、ブラジャーの留め具の保持力が増し、ブラジャーの背面部分のロック（固定）は互いにより強固になる。また他方で、ブラジャーの着用者はとりたてて云う程の力を使わずとも、留め具を解除することが出来る。
【００４５】
この目的のために、一般的に云うと、留め具の雌側部材１０と雄側部材２０は、一般的に云うと、ブラジャーの留め具を掛ける（閉じる）ことが、個々の留め具の構成（形状）の強化にもつながるような方法で形成される。換言すると、留め具領域に生じた、ブラジャーの着用者の体の面に対して平行に指向する引っ張り応力が、互いに結合されたブジラジャーの側面または背面部分の圧を着用者の側面または背面部で支え、それにより背面部分の結合が強化される。
【００４６】
可能な範囲でこの要求に応じるために、本発明に従うブラジャーの留め具では以下により詳細に説明される特徴的構成要素が実現される。
【００４７】
本発明に従うブラジャーの蝶型−雌側−留め具要素１２は、特に図７Ｂおよび７Ｃの詳細図から直接明らかなように、縦中心面５１ｗに対し左右対称に形成され、該縦中心面の進路は、図面の平面において、雌側留め具要素１２の向かい合う細く平らなガイド端面５１ｆ（図７Ｃ参照）に対し平行に延在している。
【００４８】
雄側留め具要素２０もまた中心面５１ｍに対して左右対称であり、要素１０と１２を閉じた状態において、各雌側留め具要素１２の中心面５１ｗと一致する。
【００４９】
「外側」の羽部分１２ｃの真線的に延びる縁部５２ｇと、蝶型要素の平行な内側部分１２ｄのガイド面５１ｆは、互いに約１４５°の角度をなし、夫々１つのラッチ突起部１２ｒ（図７Ｂ参照)を介して互いに繋ぎ合わされている。ラッチ突起部の最小間隔Ｄｍｉｎは、雌側留め具要素の内側部分１２ｃの残りの部分で、平行な内側部分１２ｄの横の間隔Ｄｄよりやや小さい。
【００５０】
雄側留め具要素にもラッチ突起部５３ｍが備えられ、雌側留め具要素１２の係留突起部５２ｒの機能を担っている。該突起部は各雄側留め具要素２０のガイドリブ５４（２０ｊ）の向かい合う側に配設されている。
【００５１】
ガイドリブ５４の片側端部に係留ヘッド２０ｉが設けられ、雄側留め具部材２０のリブと共に、雌側留め具要素１２と一緒に係合をもたらし得る係留ホック２０ｈを形成する。図７Ｃに図示された、留め具の特別な実施例では、夫々２組のその種の留め具要素１２，２０がワンピースのプラスチック部材５４（図７Ｃ参照）に統合されている。その幾何学的形状は図７Ｃおよび２Ｈの拡大図を示すまでもなく、認識可能である（単純化のため、図７Ｃでは１つの雌側留め具要素だけが図示されている）。
【００５２】
係留ヘッド２０ｈは、雌側留め具要素１２の対称面５１ｍ、あるいは対称面５１ｗに対して直角に計測して、直径Ｄｍを有する。これは雌側留め具要素１０の平行な部分１２ｄのガイド端面５１ｆの間隔よりも明らかに大きい。
【００５３】
雌側留め具要素１０の平行な部分１２ｄの、中心面５１ｍに対して平行なガイド面５１ｆは、同一平面状にある平らな段差面（図７Ｃ参照）により、中心面５１ｗに対してほぼ平行に延在する別のガイド面５４ｒに対し一段低くなっている。ガイド面５４ｒ同士の間隔は、雌側留め具要素に対する雄側留め具要素の円滑な移動を保障するため、少なくとも係留ヘッドの直径Ｄｍと一致するか、好ましくは僅かにこれより大きい。雌側留め具要素のこの形状により、平行な留め具要素部分１２ｄと分岐した留め具要素部分１２ｃの接続部領域近傍に雌側留め具要素１０のガイド要素１２ｅの張り出し部が出現する。
【００５４】
本発明に従うブラジャーの留め具装置は、雄側留め具部材２０が図７Ｂの矢印５６方向に、雌側留め具部材１２の中へ押し込まれることにより閉鎖（ロック）される。雄側留め具部材はリブ２０ｊ（図７Ｅ参照）を用いて平行なガイド端面５１ｆ（図７Ｃ参照）の間を、係留ヘッド２０ｈが張り出し部１２ｅの内側で支えられるまでガイドされる。その際、雄側と雌側の留め具部材は互いに引き合うか、あるいは押し付け合う。雄側留め具要素２０のラッチ突起部５３ｍが雌側留め具要素のラッチ突起部５２ｒ近傍にさしかかるとすぐに、圧力ばめと形状拘束（force-fitting and form-fitting）により雄側留め具要素は引き戻す−解除する方向に抗って固定される。同時に、雄側留め具部材２０の係留ヘッド２０ｈが中心面５４ｗと直交して延在する雌側要素の裏面部分１２ｆに当接することで、雄側留め具部材２０の留め具の最終位置がマークされる。
【００５５】
上述したラッチ要素の幾何学的サイズと留め具要素の材質の伸縮特性は、該要素の留め具要素の閉鎖位置（留め位置）への円滑な係合と、ブラジャーの留め具の円滑な解除とが保障されるように、互いに調整されている。
【００５６】
図８Ａ〜８Ｄに図示する、特に各図の細部を参照されたい、全体に符号８０を付したブラジャーの留め具は、構成と機能において、図１Ａ〜７Ｅに関連して説明したブラジャーの留め具の実施例（特に図１Ａ〜３Ｆおよび図７Ａ〜７Ｅに従う実施例）と大部分は類似しており、多くの個別の事象に関して同一であるので、重複を避けるため、これに関する明細書の部分を参照されたい。これは蝶型の雌側留め具要素１２ａの形状、並びにこれに係合可能な雄側留め具部材の形状に関しても適用される。また溶接部の配置と形状、これを用いて留め具要素を担持、および／または包括した織物素材層（レイヤー）を１組ずつ互いに、および／または留め具要素を担持する部材と結合することにも適用される。図８Ａ〜８Ｄで、これまでに既に図１Ａ〜７Ｅの１つ、あるいは複数の図で使用された符合が付されている場合には、その構成要素に属する記載箇所への参照指示を含むものであり、同一の符号を記した部材の同一性または類似性を指摘するものである。
【００５７】
図１〜７Ｅに関連して説明したブラジャーの実施例とは本質的に相違して、図８Ａ〜８Ｄに従う実施例では、圧力ばめと形状拘束によりブラジャーのウィング部を互いに固定する固定要素に追加して、ブラジャーの着用者がブラジャーの留め具全体の閉鎖位置を見つけ出し、留め具を掛けることを容易にする、磁石式留め具要素８０／ｗと８０／ｍ（図８Ｂおよび８Ｃ参照）が設けられている。
【００５８】
この時、磁石の磁力だけに基づいてブラジャーの閉鎖構成（形態）がもたらされ、その状態から上述した雌雄の留め具部材の形状拘束による係合に対応する、留め具の最終的な閉鎖構成が、留め具８０では図示しないが、容易に達成されるように、磁石式留め具要素８０／ｗと８０／ｍを用いて、それ自体により、ブラジャーのウィング部のある種の暫定的な結合がもたらされる。
【００５９】
この目的のため、図８Ａに見られる配置では、雌側部材１０の蝶型の雌側留め具要素１２ａが２つずつ配設された列１２に、列ごとに１つの雌側部材１０の磁石式要素８０／ｗが組み込まれている。更に、雄側留め具要素２０に割り当てられた永久磁石８０／ｍも備えられている。雌側留め具部材１０に付設された磁石８０／ｗと雄側留め具部材２０に付設された永久磁石８０／ｍは、図８Ｂおよび８Ｃに見られる配置において、雌側留め具部材１０の織物レイヤー１０ａと１１ｂの間に埋め込まれるか、または雄側留め具要素２０に挿入され、雄側留め具部材は溶接により、織物レイヤー２０ａと２０ｂに引っ張りに強く連結されている。
【００６０】
基本的な形状において、磁石８０／ｗ，８０／ｍは円盤型で、典型的なサイズは直径約４ｍｍ、厚さ約１ｍｍである。好適な仕様において、経済的に入手可能なネオジム磁石、あるいは希土類磁石が用いられる。
【００６１】
基本的には、留め具部材１０または２０のいずれか一方だけに永久磁石式留め具要素が設けられ、対応する他方の留め具部材には軟質磁性素材のプレートを採用すれば十分であるが、十分な引力のためには、両方の留め具部材１０および２０に永久磁石が用いられることが合目的である。該永久磁石は適切な極性において比較的大きな引力を発揮することが可能であり、また他方では留め具８０のコンパクトで、殆ど着膨れしない構成に役立つ。
【００６２】
解説の為に選択した実施例では、雌側留め具部材１０の永久磁石８０／ｗは夫々、各留め具要素の列１２の雌側留め具要素１２ａの間に配設されている。同じ事が全体がプラスチック部材で作られた雄側留め具部材２０にも当てはまる。雄側部材の永久磁石８０／ｍは、略示されただけの図８Ｂおよび８Ｃから明らかなように、プラスチック製の雄側部材２０のラッチノーズ８０／ｒの間に固定されている。
【００６３】
磁石式留め具要素８０／ｗと８０／ｍと、停止限界８２を有する、外側、つまり夫々磁石８０／ｗに向かって開口した、磁石の相対運動を制限する止め要素８１の配置は、磁石式留め具要素８０／ｗ，８０／ｍがその最大の引力を発揮する位置（図８Ｃ参照）を、留め具部材１０と２０の位置、そこで蝶型の留め具要素１２ａがこれに割り当てられたラッチヘッド２０（図７Ｅおよび７Ａ、および８Ｄ参照）と圧力ばめと形状拘束により係合され、ブラジャー留め具が、着用者の能動的な働きかけによって初めて到達され得る、負荷に耐えられる閉鎖位置を占めるその位置から、スペースＳ離間して配置されるように選択されている。とはいえブラジャーを着用する際には、磁石式留め具要素８０／ｗ，８０／ｍが認識可能な引力を発揮し、この引力によりウィング部端部が図８Ｃに示した磁石の「中心」位置へと引っ張られることにより、着用者は適切な出発点を容易に見つけられる。その後着用者は、雄側留め具要素２０の図８Ｃの雌側留め具部材１０に対する矢印８３の方向への相対運動により、わずかな労力でブラジャーの留め具の閉鎖構成（留め具を掛けた形態）へ調整する。閉鎖構成では、雄側留め具部材２０の止め突起部８４はブラジャーの留め具８０の雌側止め要素８１の湾曲した止め面８２に当接する。
【図１Ａ】
0005771526.tif 000002
【図１Ｂ】
0005771526.tif 000003
【図１Ｃ】
0005771526.tif 000004
【図１Ｄ】
0005771526.tif 000005
【図１Ｅ】
0005771526.tif 000006
【図１Ｆ】
0005771526.tif 000007
【図２Ａ】
0005771526.tif 000008
【図２Ｂ】
0005771526.tif 000009
【図２Ｃ】
0005771526.tif 000010
【図２Ｄ】
0005771526.tif 000011
【図２Ｅ】
0005771526.tif 000012
【図２Ｆ】
0005771526.tif 000013
【図２Ｇ】
0005771526.tif 000014
【図２Ｈ】
0005771526.tif 000015
【図２Ｉ】
0005771526.tif 000016
【図２Ｊ】
0005771526.tif 000017
【図３Ａ】
0005771526.tif 000018
【図３Ｂ】
0005771526.tif 000019
【図３Ｃ】
0005771526.tif 000020
【図３Ｄ】
0005771526.tif 000021
【図３Ｅ】
0005771526.tif 000022
【図３Ｆ】
0005771526.tif 000023
【図４Ａ】
0005771526.tif 000024
【図４Ｂ】
0005771526.tif 000025
【図４Ｃ】
0005771526.tif 000026
【図４Ｄ】
0005771526.tif 000027
【図４Ｅ】
0005771526.tif 000028
【図４Ｆ】
0005771526.tif 000029
【図５Ａ】
0005771526.tif 000030
【図５Ｂ】
0005771526.tif 000031
【図５Ｃ】
0005771526.tif 000032
【図５Ｄ】
0005771526.tif 000033
【図５Ｅ】
0005771526.tif 000034
【図５Ｆ】
0005771526.tif 000035
【図６Ａ】
0005771526.tif 000036
【図６Ｂ】
0005771526.tif 000037
【図６Ｃ】
0005771526.tif 000038
【図６Ｄ】
0005771526.tif 000039
【図６Ｅ】
0005771526.tif 000040
【図６Ｆ】
0005771526.tif 000041
【図７Ａ】
0005771526.tif 000042
【図７Ｂ】
0005771526.tif 000043
【図７Ｃ】
0005771526.tif 000044
【図７Ｄ】
0005771526.tif 000045
【図７Ｅ】
0005771526.tif 000046
【図８Ａ】
0005771526.tif 000047
【図８Ｂ】
0005771526.tif 000048
【図８Ｃ】
0005771526.tif 000049
【図８Ｄ】
0005771526.tif 000050